(57)【要約】【課題】特定階への不要な侵入防止を目的として、エレベーターのサービス階、非サービス階を切替える際に、切替えられた非サービス階の安全性を向上させるようにしたエレベーター制御装置の提供。【解決手段】集合スイッチボックスＳＢに構成される特定階のサービス切離しスイッチＳ１、Ｓｎの「入」側、「切」側の入力状態を検出する手段と、前記切離しスイッチＳ１、Ｓｎの「入」側、「霧」側入力信号がいずれも同時にオフするような不合理を検出する手段ＡＬＴと、報知手段３を設け、前記切離しスイッチ入力の不合理検出信号ＡＬＴが、不合理検出後の所定時限経過後にオンすると、常閉接点ＡＬＴ２、ＡＬＴｎにより呼び登録回路を遮断すると同時に前記報知手段３が動作するように構成する。また、報知手段３として、エレベーターかご外部との非常時連絡装置の呼出信号回路を兼用する。【選択図】        図１
2004359439.tif 000002
【特許請求の範囲】
【請求項１】
複数階に応答サービス運転を行い、前記複数階のうち特定階への応答サービスを切離す、特定階サービス切離し手段を備えてなるエレベーターにおいて、前記特定階サービス切離し手段の異常を検出し、所定時間経過後動作する異常検出手段と、前記特定階サービス切離し手段の異常検出手段が動作すると、エレベーターの運転を休止させる手段と、前記異常状態を報知する手段を備えたことを特徴とするエレベーター制御装置。
【請求項２】
請求項１において、特定階サービス切離し手段として切替スイッチを使用し、前記切替スイッチの異常検出は前記切替スイッチのオン、オフ信号の不合理状態で検出するようにしたことを特徴とするエレベーター制御装置。
【請求項３】
請求項１および請求項２の何れかにおいて、切替スイッチの異常検出手段は前記切替スイッチのオン、オフ信号の不合理状態検出から所定時間経過後に動作するようにしたことを特徴とするエレベーター制御装置。
【請求項４】
請求項１、請求項２および請求項３の何れかにおいて、異常検出後にエレベーターの運転を休止させる手段として、呼び登録回路を遮断するようにしたことを特徴とするエレベーター制御装置。
【請求項５】
請求項１、請求項２、請求項３および請求項４の何れかにおいて、特定階サービス切離し手段の異常発生を報知する手段として、かご内に設置されている非常連絡装置の呼出し信号を兼用したことを特徴とするエレベーター制御装置。
【発明の詳細な説明】
【０００１】
【発明の属する技術分野】
本発明はエレベーターの制御装置に係り、特に特定階の応答サービスを切離す手段を備えてなるエレベーター制御装置に関するものである。
【０００２】
【従来の技術】
従来の特定階サービス切離し回路を図３に示す。サービス階として切離したい階を１階とｎ階とした事例で説明する。電源Ｐ、Ｎ間に１階用切替スイッチＳ１と、ｎ階用切替スイッチＳｎと前記切替スイッチＳ１、Ｓｎの状態を検出する１階用サービス切離し入力ＸＮＳＴ１、ｎ階用サービス切離し入力ＸＮＳＴｎがそれぞれ直列に構成される。前記１階用切替スイッチＳ１とｎ階用切替スイッチＳｎは集合スイッチボックスＳＢに構成される。前記１階用サービス切離し入力ＸＮＳＴ１がオンすると開成する常閉接点ＸＮＳＴ１１と１階呼び登録回路１、およびｎ階用サービス切離し入力ＸＮＳＴｎがオンすると開成する常閉接点ＸＮＳＴｎ１とｎ階呼び登録回路２がそれぞれ直列に構成される。前述のような構成において、１階用切替スイッチＳ１が操作されず「切」側にある場合は、１階用サービス切離し入力ＸＮＳＴ１がオフとなるため、その常閉接点ＸＮＳＴ１１が閉成する。この状態においては、電源Ｐ−常閉接点ＸＮＳＴ１１−１階呼び登録回路１−電源Ｎが形成されるため、１階呼び登録回路は有効となっている。次に、１階用切替スイッチＳ１が「入」側に操作された場合は、１階用サービス切離し入力ＸＮＳＴ１がオンするため、その常閉接点ＸＮＳＴ１１が開成する。この状態においては、電源Ｐ−常閉接点ＸＮＳＴ１１−１階呼び登録回路１−電源Ｎが形成されないため、１階の呼び登録が不能になり、エレベーターは１階への応答サービスができなくなる。前述は１階のサービス切離しの例で説明したが、ｎ階の場合も同様に動作する  （例えば、特許文献１参照。）。
【０００３】
【特許文献１】
特開２００１−１８０８７４号公報  （段落番号０００７、第１図）
【０００４】
【発明が解決しようとする課題】
このような構成のエレベーター制御装置においては、特定階のサービス切離しスイッチの入力を「入」側だけの１ポジション状態を検出する構成となっており、しかも呼び登録回路は前述の特定階サービス切離しスイッチの「入」側をオン信号として動作する常閉接点により、サービスを切離したい階の呼び登録回路を無効にするような構成になっているため、例えばサービスが切離されている特定階へ、犯罪を目的に侵入しようとする場合、前述の集合スイッチボックスＳＢに構成された特定階サービス切離しスイッチの入力回路ｘ部を故意に遮断することによって、特定階サービス切離しスイッチを「切」側に切替えられている状態と同じ状態となるため、サービスを切離している特定階への呼び登録回路が有効となり、かつそのような異常状態を報知する手段も有していないため、犯罪が発生しても迅速に対応できないという問題があった。
【０００５】
本発明は、前述したような問題に鑑み、特定階サービス切離し回路の異常を検出し、エレベーターの運転を休止させると同時に、異常発生の有無を報知することによって犯罪の拡大を抑止し、かつ迅速に異常復旧に対応できるようにしたエレベーター制御装置を提供することにある。
【０００６】
【課題を解決するための手段】
前述の目的を達成するために、本発明は、複数階に応答サービス運転を行い、前記複数階のうち特定階への応答サービスを切離す、特定階サービス切離し手段を備えてなるエレベーターにおいて、前記特定階サービス切離し手段の異常を検出し、所定時間経過後動作する異常検出手段と、前記特定階サービス切離し手段の異常検出手段が動作すると、エレベーターの運転を休止させる手段と、前記異常状態を報知する手段を備えた構成としたものである。
【０００７】
【発明の実施の形態】
この発明の一実施の形態を図１、図２に基づいて説明する。図１は本実施形態に係るエレベーター制御回路のブロック構成図である。図中、従来技術で説明した図３と同一符号は詳細な説明を省略する。
【０００８】
図において、ＸＮＳＴＱ１、ＸＮＳＴＱｎは特定階サービス切離し切替スイッチＳ１、Ｓｎの「切」側ポジションの入力状態を検出する入力信号、ＸＮＳＴＱ１１およびＸＮＳＴＱｎ１は前記入力信号ＸＮＳＴＱ１、ＸＮＳＴＱｎの常閉接点を示す。ＸＮＳＴ１２およびＸＮＳＴｎ２は特定階サービス切離し切替スイッチの「入」側ポジションの入力状態を検出する入力信号ＸＮＳＴ１およびＸＮＳＴｎの常閉接点を示す。ＡＬＴは切替スイッチＳ１、Ｓｎの不合理状態を検出するとタイムカウントを開始し、所定時限を経過するとオン信号で、切替スイッチＳ１の「入」側ポジションの入力状態を検出するＸＮＳＴ１の常閉接点ＸＮＳＴ１２と切替スイッチＳ１の「切」側ポジションの入力状態を検出するＸＮＳＴＱ１の常閉接点ＸＮＳＴＱ１１および切替スイッチ不合理検出信号ＡＬＴが直列に構成してあり、前記ＸＮＳＴ１２とＸＮＳＴＱ１１の直列接続回路に切替スイッチＳｎの「入」側ポジションの入力状態を検出するＸＮＳＴｎの常閉接点ＸＮＳＴｎ２と切替スイッチＳｎの「切」側ポジションの入力状態を検出するＸＮＳＴＱｎの常閉接点ＸＮＳＴＱｎ１の直列接続回路を並列に構成する。ＡＬＴ１は切替スイッチの不合理検出信号ＡＬＴの常開接点、ＡＬＴ２、ＡＬＴｎは常閉接点を示し、前記常開接点ＡＬＴ１と警報装置３を直列に構成し、前記常閉接点ＡＬＴ２と１階呼び登録回路、ＡＬＴｎとｎ階呼び登録回路を直列に構成してある。ここで、切替スイッチ不合理検出信号ＡＬＴが本発明の請求項１、請求項２および請求項３に記載する特定階サービス切替スイッチの異常を検出する手段に該当し、常閉接点ＡＬＴ２、ＡＬＴｎが請求項１に記載するエレベーターの運転を休止させる手段、報知装置３が異常状態を報知する手段に該当する。前述の構成に基づいて、本実施形態の動作について説明する。
【０００９】
今、エレベーターを全階に応答サービス可能とする場合は、切替スイッチＳ１、Ｓｎは操作されていないため、それぞれ「切」側ポジションの入力状態にある。この場合は、入力信号ＸＮＳＴ１およびＸＮＳＴｎはオフ状態にあり、ＸＮＳＴＱ１、ＸＮＳＴＱｎはオン状態にある。この場合は、常閉接点ＸＮＳＴ１１、ＸＮＳＴ１２、ＸＮＳＴｎ１、ＸＮＳＴｎ２は閉成したままとなり、常閉接点ＸＮＳＴＱ１およびＸＮＳＴＱｎ１が開成している。また、切替スイッチ不合理検出信号ＡＬＴの回路は常閉接点ＸＮＳＴＱ１およびＸＮＳＴＱｎ１が開成しているため回路が形成されず、常開接点ＡＬＴ１も開成し、常閉接点ＡＬＴ２、ＡＬＴｎも閉成しているため、電源Ｐ−常閉接点ＸＮＳＴ１１−１階呼び登録回路１−常閉接点ＡＬＴ２−電源Ｎの回路が形成され、エレベーターは１階への応答サービスが可能状態となる。尚、ｎ階への呼び登録回路２も同様である。更に、常開接点ＡＬＴ１も開成したままとなるため、警報装置３も動作しない。
【００１０】
次に、１階への応答サービスが切離されている場合の回路動作を説明する。切替スイッチＳ１は「切」側から「入」側へ切替えられると、「入」側ポジション入力信号ＸＮＳＴ１がオンし、「切」側ポジション入力信号ＸＮＳＴＱ１がオフする。これにより、常閉接点ＸＮＳＴ１１が開成するため１階呼び登録回路１の回路が形成されず、エレベーターは１階への応答サービスが不可能となる。ここで、切替スイッチＳ１、Ｓｎは図に示すように「入」、「切」側のいずれかの状態にあるはずであり、切替スイッチの入力信号ＸＮＳＴ１とＸＮＳＴＱ１、ＸＮＳＴｎとＸＮＳＴＱｎが同時にオン、または同時にオフにあり得ない状態を不合理と判断させる。本実施形態では同時にオフ状態にあることを検出して不合理と判断させる。この状態においても、切替スイッチＳ１の状態に異常がなければ、切替スイッチの不合理検出信号ＡＬＴの回路にある常閉接点ＸＮＳＴ１２は開成し、常閉接点ＸＮＳＴＱ１１が閉成しているため、前記切替スイッチの不合理検出信号ＡＬＴの回路が形成されず、常開接点ＡＬＴ１も開成したままとなり、警報装置３も動作しない。また、常閉接点ＡＬＴ２、ＡＬＴｎも閉成しているため、前述と同様に呼び登録回路は正常に動作し、エレベーターは登録された階へのサービス運転が可能となる。
【００１１】
ここで、集合スイッチボックスＳＢの電源Ｐラインｘ部が犯罪などを目的に、故意に遮断された場合の動作を説明する。この場合は、切替スイッチＳ１の入力信号ＸＮＳＴ１およびＸＮＳＴＱ１のいずれもオフ状態となるため、常閉接点ＸＮＳＴ１２およびＸＮＳＴＱ１１が閉成するため、切替スイッチ不合理検出信号ＡＬＴ回路が形成され、所定時限をカウント開始する。前記不合理を検出して所定時限を経過するとその常閉接点ＡＬＴ２、ＡＬＴｎが開成するため１階呼び登録回路１、ｎ階呼び登録回路２が構成されず、エレベーターは運転不能となる。それと同時に、常開接点ＡＬＴ１も閉成し、警報装置３が動作する。
【００１２】
図２は本発明の請求項５に記載する制御回路に係るブロック図を示す。前述の図１による実施形態に示すものと同一符号は詳細の説明を省略する。４はエレベーターかご内（図示しない）に設けられている非常時の外部連絡装置５を呼び出す際に操作する「呼」釦を示し、前記外部連絡装置呼び釦４と前記外部連絡装置５は直列に構成される。また、特定階サービス切替スイッチの不合理検出信号ＡＬＴの常開接点ＡＬＴ１は前記外部連絡装置呼び釦４と並列に接続してある。前記外部連絡装置呼び釦４は、一般的にはエレベーターが戸開ゾーンを外れて停止した際に、かご内に閉じ込められた乗客が前記外部連絡装置呼び釦４を操作することによって、非常連絡装置５の回路が形成され、管理室や遠隔管制センターとの連絡が取り合えるようにしたことを目的に構成してあるものである。ここで、前述の図１で説明したように、切替スイッチの不合理検出信号ＡＬＴがオンし、その常開接点ＡＬＴ１が閉成すると、前記外部連絡装置呼び釦４を操作した場合と同じ状態になり、外部連絡装置５の回路が形成され、外部に異常状態の発生を報知することができる。
【００１３】
【発明の効果】
以上説明したように、本発明によれば、特定階への不要な侵入を防止するために設けられている特定階サービス切替スイッチの入力検出信号に異常が発生すると、直ちにエレベーターの運転を不能にさせ、かつ異常を報知できるため、被害を最小限に食い止めることにより、より安全性の高いエレベーターを提供することができる。また、前記切替スイッチの通常切替え操作においても極めて短い時間ではあるが不合理状態を検出する恐れがあるが、所定時限時間をカウントして異常検出するように構成してあるため、通常の操作では異常検出することがない。更に、異常報知手段としてエレベーターの必須項目として設けられている非常時の外部連絡装置との共用化により、新たな装置を設けることなく、低コストで対応することが可能である。
【図面の簡単な説明】
【図１】本発明の一実施形態を示すエレベーターの制御回路のブロック図である。
【図２】本発明の異常報知手段の一実施形態を示すエレベーターの制御回路ブロック図である。
【図３】従来のエレベーターの制御回路のブロック図である。
【符号の説明】
１  １階呼び登録回路
２  ｎ階呼び登録回路
３  警報装置
４  外部連絡装置呼び釦
５  非常連絡装置
Ｓ１  １階用サービス切離しスイッチ
Ｓｎ  ｎ階用サービス切離しスイッチ
ＡＬＴ  切替スイッチ入力不合理検出信号
ＳＢ  集合スイッチボックス
【図１】
2004359439.tif 000003
【図２】
2004359439.tif 000004
【図３】
2004359439.tif 000005